(57)【特許請求の範囲】
【請求項１】
室内機上面または前面に吸込口を、底面に吹出口を、内部には室内熱交換器と室内ファンを備え、前記吸込口と室内熱交換器と室内ファンと吹出口とを連通して送風経路を形成し、室外機には圧縮機と四方弁と室外熱交換器と膨張弁と室外ファンを備え、前記圧縮機と四方弁と室内熱交換器と膨張弁と室外熱交換器とを冷媒配管で順次接続して冷凍回路を形成し、この冷凍回路と室内ファンと室外ファンを制御部で制御し、室内の温度調節を行う空気調和機に於いて、前記吹出口には運転時に上下の送風方向を調整すると共に、停止時には自動で吹出口を閉じる水平羽根を設け、前記室内熱交換器の温度を検知する室内熱交センサと、室温を検知する室温センサとを設け、運転停止時に前記室内熱交換器の温度が第１の所定温度未満を第１の所定時間継続した時に、前記室内ファンを低回転で運転すると共に室温センサの読込を断続的に行い、前記室温センサの値が第２の所定時間以内で第２の所定温度以上上昇した時には、前記水平羽根にて吹出口を閉じたまま、圧縮機を低回転で暖房運転を開始し、室内熱交温度が室温以上に上昇したときに運転停止状態に戻るコールドドラフト防止機能を備えたことを特徴とする空気調和機。
【請求項２】
前記コールドドラフト防止機能は、リモコンの操作によって選択可能としたことを特徴とする請求項１記載の空気調和機。
【発明の詳細な説明】
【技術分野】
【０００１】
この発明は、暖房運転停止時の運転制御機能を備えた空気調和機に関するものである。
【背景技術】
【０００２】
従来から、従来、ヒートポンプ式空気調和機は、暖房運転に際し、例えば外気温度が低くい程、暖房の立上り特性が劣り、暖房運転の開始から室内に温風を吹き出すまで時間がかかっていた。そこで、暖房運転の停止後、例えば３時間継続して運転が行われず、かつ、外気温度が３℃以下になっているときには、圧縮機に高周波数の低電圧を印加し、その圧縮機に微弱電流（約30Wの消費電力）を流し、圧縮機を暖めるようにしている（予熱機能）。すなわち、その予熱機能により、空気調和機の暖房運転開始に際し、暖房の立上り特性が向上し、比較的短時間に温風を吹き出すことができ、室内を速やかに快適環境とすることができるようになっている。
また長期間外出等で暖房運転を行わない場合には自動的に予熱機能を停止して、無駄な電力消費を少なくし、経済性を向上した空気調和機があった。（例えば、特許文献１参照）
【先行技術文献】
【特許文献】
【０００３】
【特許文献１】特公平７−５６４０４号公報
【発明の概要】
【発明が解決しようとする課題】
【０００４】
この従来例の空気調和機は、予熱運転を行うことによって暖房運転の立上り特性が向上し素早く暖房運転を開始することができるものであるが、寒冷地では秋の終わりと春先の比較的暖房負荷の小さい時期のみ空気調和機を使用し、冬期は運転コスト等の関係で石油ファンヒーターやガスストーブ等の暖房専用機によって暖房を行うことが一般的に行われている。
この場合、壁面の比較的上部に取り付けられている空気調和機の室内機は停止している。そして、室内機内部に備えた室内熱交換器は冷媒配管によって屋外に設置され冷え切った室外機と接続されているために、冷媒配管を通じた熱伝導で室内熱交換器は極めて低温になるため、室内機全体または吹出口の隙間から冷気が下降することで、室内の温度に比較して室内機の下方のみが寒く感じる問題があった。
【課題を解決するための手段】
【０００５】
この発明はこの点に着目し上記欠点を解決する為、特にその構成を、室内機上面または前面に吸込口を、底面に吹出口を、内部には室内熱交換器と室内ファンを備え、前記吸込口と室内熱交換器と室内ファンと吹出口とを連通して送風経路を形成し、室外機には圧縮機と四方弁と室外熱交換器と膨張弁と室外ファンを備え、前記圧縮機と四方弁と室内熱交換器と膨張弁と室外熱交換器とを冷媒配管で順次接続して冷凍回路を形成し、この冷凍回路と室内ファンと室外ファンを制御部で制御し、室内の温度調節を行う空気調和機に於いて、前記吹出口には運転時に上下の送風方向を調整すると共に、停止時には自動で吹出口を閉じる水平羽根を設け、前記室内熱交換器の温度を検知する室内熱交センサと、室温を検知する室温センサとを設け、運転停止時に前記室内熱交換器の温度が第１の所定温度未満を第１の所定時間継続した時に、前記室内ファンを低回転で運転すると共に室温センサの読込を断続的に行い、前記室温センサの値が第２の所定時間以内で第２の所定温度以上上昇した時には、前記水平羽根にて吹出口を閉じたまま、圧縮機を低回転で暖房運転を開始し、室内熱交温度が室温以上に上昇したときに運転停止状態に戻るコールドドラフト防止機能を備えたものである。
【発明の効果】
【０００６】
この発明によれば、コールドドラフト防止機能を設けることによって、冬期間空気調和機を使用しないで石油ファンヒーターやガスストーブ等の暖房専用機のみによって暖房を行った場合でも、室外機から室内機を通じて冷気が発生し、部屋上部に設置される室内機１から冷気が下降して室内機の下方が寒く感じることを防止することができるものである。
また、コールドドラフト防止機能をリモコンにて選択可能にしたことで、家具などの配置の関係で室内機の下方には人があまり近づかないような場合にはコールドドラフト防止機能を停止することを可能となる。
【図面の簡単な説明】
【０００７】
【図１】この発明一実施例の設置状態の説明図。
【図２】この発明一実施例の概略説明図。
【図３】同要部のフローチャート図。
【発明を実施するための形態】
【０００８】
次に、この発明に係る空気調和機を図面に示された一実施例で説明する。
１は空気調和機の室内機で、室内壁面の比較的上部に取り付けられ暖房運転では室内の下方に向けて温風を吹出し、冷房運転では水平方向に冷風を吹き出して室温を設定温度に調整する。前記室内機１の上面または前面には横長状の開口部である吸込口２が設けられ、室内機１の底面には横長状の開口部である吹出口３が設けられている。
【０００９】
前記室内機１の内部には多数のアルミニューム片に銅管を貫通して形成されるフィンチューブ式の室内熱交換器４と、クロスローファンの室内ファン５を備え、前記吸込口２と室内熱交換器４と室内ファン５と吹出口３とを連通して送風経路６を形成している。
【００１０】
７は前記室内機１側に配置されたリモコンで、空気調和機の運転および停止スイッチや冷房運転・暖房運転・除湿運転等の運転コースを変更するコース選択スイッチ、冷房・暖房温度の室温設定スイッチ、および空気調和機の暖房運転停止後のコールドドラフト防止機能の選択をする選択スイッチ等のスイッチ類８と、温度や時間を液晶パネル等で表示する表示部９を設けている。
【００１１】
１０は前記吸込口２と室内熱交換器４の間の送風経路６に備えた室温センサで、吸込口２より吸い込まれた空気の温度を検知する。１１は室内熱交センサで、前記室内熱交換器４の表面や近接する冷媒配管に取り付けられ室内熱交換器４の温度を検知する。１２は室内制御部で、前記リモコン７で設定された暖房温度や運転信号が入ると、室温センサ１１から送られてくる室温を読み込み、運転条件を指令する。
【００１２】
１３は前記室内ファン５を回転駆動する室内ファンモータで、インバータ制御により回転数を多段階に変化可能で有り、約３００〜１２００ｒｐｍの範囲で回転する。１４は前記吹出口３に設けた水平羽根で、運転時には上下の送風方向を調整すると共に、停止時には自動で吹出口３を蓋状に閉じるものであり、ルーバーモータ１５によって回動する。
【００１３】
１６は室外機で、内部には圧縮機１７と四方弁１８、室外熱交換器１９、膨張弁２０を備え、前記室内機１の室内熱交換器４とを含めて圧縮機１７、四方弁１８、室内熱交換器４、膨張弁２０、室外熱交換器１９とを冷媒配管２１で順次接続して冷凍回路２２を形成し、この冷凍回路２２内をフロン等の冷媒が循環して室温調整を行うものであり、暖房運転では図１の実線矢印で示すように、圧縮機１７、四方弁１８、室内熱交換器４、膨張弁２０、室外熱交換器１９、四方弁１８の方向で冷媒が循環することで、室内熱交換器４は高温になり室内ファン５で温風を室内に吹き出すことで室内の暖房をするものであり、暖房運転時は室外熱交換器１９は低温になり、室外ファン２３によって外気を室外熱交換器１９に送風することで、外気から熱をくみあげるものである。
【００１４】
前記圧縮機１７はインバータ制御によって、約３０〜１２０Ｈｚの範囲で多段階に回転制御され、設定室温と現在室温の差等に応じて回転制御、能力制御が行われる。２４は室外制御部で、前記室内制御部１２からの信号や外気温センサ２５の値等から、情報を得ながら圧縮機１７の運転周波数や室外ファン２３の回転数を決定し、運転制御する。
【００１５】
２５は前記室内制御部１２に備えたコールドドラフト防止機能を司るコールドドラフト防止部、２６はタイマー部。２７は前記室内機１と室外機１６を接続する連絡配管で、前記冷媒配管２１の一部になる。
【００１６】
寒冷地では秋の終わりと春先の比較的暖房負荷の小さい時期のみ空気調和機を使用し、冬期は運転コスト等の関係で石油ファンヒーターやガスストーブ等の暖房専用機２８によって暖房を行うことが一般的に行われている。前記暖房専用機２８によって室内の暖房が行われ室温が２５〜２８℃等の快適温度に暖房が行われたとき、壁面の比較的上部に取り付けられている室内機は停止している。そして、室内機１内部に備えた室内熱交換器４は冷媒配管２１（連絡配管２７）によって屋外に設置され冷え切った室外機１６と接続されているために、冷媒配管２１を通じた熱伝導で室内熱交換器４は極めて低温（外気温に応じて変動する）になるため、室内機１全体または吹出口３の隙間から室内熱交換器４の冷気が下降する（コールドドラフトの発生）ことで、室温に比較して室内機１の下方のみが寒く感じる。
【００１７】
図３のフローチャート図によってコールドドラフト防止機能を説明すれば、ステップ１において空気調和機は停止状態にあり、リモコン７のスイッチ８にてコールドドラフト防止機能を実施することが選択されている状態にある。
【００１８】
次に、ステップ２にて室内制御部１２は室内熱交センサ１１の読込を定期的に行う。ステップ３にて、室内熱交センサ１１が第１の所定温度である１０℃未満を第１の所定時間である２時間継続することで、寒くなり暖房の必要な季節になったかを判断し、Ｎｏの場合はステップ１に戻り、Ｙｅｓの場合にはステップ４に進む。
【００１９】
ステップ４では室内ファン５を最低回転数である３００ｒｐｍで１分間運転後に室温センサ１０の読込を約１０分間隔で断続的に行う。室内に冷風が吹き出すことを防止するために吹出口３の水平羽根１４は閉じた状態を保ち、ステップ５に進む。
【００２０】
ステップ５では第２の所定時間である過去３０分間の室温上昇を比較し、室温上昇が５ｄｅｇ以上で無い場合は、Ｎｏでステップ１に戻り、室温上昇が５ｄｅｇ以上の場合には、石油ファンヒータやガスストーブなどの暖房専用機２８によって室内の暖房が行われていると判断し、Ｙｅｓでステップ６に進む。
【００２１】
ステップ６では水平羽根１４を閉じたまま、室内ファン５は最低回転数である３００ｒｐｍ、圧縮機１７は最低回転の３０Ｈｚで暖房運転を開始する。
【００２２】
次に、ステップ７にて約１０分間隔で断続的に室内熱交センサ１１と室温センサ１０の読込を行いステップ８に進む。ステップ８では、室温と室内熱交温度の温度差を監視し、暖房運転によって室内熱交温度が室温以上の温度まで上昇するかを判断し、室内熱交温度が低い場合にはＮｏでステップ６に戻って現在の運転を継続し、室内熱交温度が上昇して室温以上の温度に成った場合には、室内機によるコールドドラフトが発生する心配が無くなったと判断して、ステップ１の運転停止状態に戻る。
【００２３】
このようなコールドドラフト防止機能を設けることによって、冬期間空気調和機を使用しないで石油ファンヒーターやガスストーブ等の暖房専用機２８のみによって暖房を行った場合でも、室外機１６から室内機１を通じて冷気が発生し、部屋上部に設置される室内機１から冷気が下降して室内機１の下方が寒く感じることを防止することができるものである。また、コールドドラフト防止機能をリモコンにて選択可能にしたことで、家具などの配置の関係で室内機１の下方には人があまり近づかないような場合にはコールドドラフト防止機能を停止することを可能となる。
【符号の説明】
【００２４】
１  室内機
２  吸込口
３  吹出口
４  室内熱交換器
５  室内ファン
１０  室温センサ
１１  室内熱交センサ
１２  室内制御部
１４  水平羽根
１６  室外機
１７  圧縮機
２５  コールドドラフト防止部
２８  暖房専用機
【図１】
0006401585.tif 000002
【図２】
0006401585.tif 000003
【図３】
0006401585.tif 000004